(57)【要約】【課題】受信可能な複数の放送局で放送された、または放送中の楽曲のうち、ユーザの嗜好に適合する楽曲情報のみを保存し、ユーザに当該楽曲の購入の機会を提供することが可能な、新規かつ改良されたラジオ放送受信装置を提供する。【解決手段】所定の周波数の放送局から放送信号を受信する受信部と、ユーザの楽曲に関する嗜好情報を設定する条件設定部と、前記受信部が受信中の放送信号から前記放送局が放送中の楽曲に関する楽曲情報を抽出し、前記条件設定部に設定された前記嗜好情報に基づいて、抽出した前記楽曲情報を記憶部に保存する楽曲情報抽出部と、前記受信部が受信する周波数を順次切り替える周波数制御部と、を備えるラジオ放送受信装置である。【選択図】図１
2010011036.tif 000002
【特許請求の範囲】
【請求項１】
所定の周波数の放送局から放送信号を受信する受信部と、
ユーザの楽曲に関する嗜好情報を設定する条件設定部と、
前記受信部が受信中の放送信号から前記放送局が放送中の楽曲に関する楽曲情報を抽出し、前記条件設定部に設定された前記嗜好情報に基づいて、抽出した前記楽曲情報を記憶部に保存する楽曲情報抽出部と、
前記受信部が受信する周波数を順次切り替える周波数制御部と、を備えるラジオ放送受信装置。
【請求項２】
前記受信部は、前記ラジオ放送受信装置のシステムが起動されていない状態においては、前記周波数制御部によって切り替えられた周波数の放送局から順次放送信号を受信し、
前記システムが起動されている状態においては、ユーザから指定された１の放送局から前記放送信号を受信する、請求項１に記載のラジオ放送受信装置。
【請求項３】
前記楽曲情報抽出部は、第１楽曲情報抽出部および第２楽曲情報抽出部を備え、
前記第１楽曲情報抽出部は、前記システムが起動されている状態においてのみ、ユーザからの要求に応じて、前記受信部が受信中の放送信号から楽曲情報を抽出して前記記憶部に保存し、
前記第２楽曲情報抽出部は、前記システムが起動されていない状態において、前記受信部が順次受信する複数の放送局の放送信号から前記楽曲情報を抽出し、前記条件設定部に設定された前記嗜好情報に基づいて、抽出した前記楽曲情報を前記記憶部に保存する、請求項２に記載のラジオ放送受信装置。
【請求項４】
前記第２楽曲情報抽出部は、抽出した前記楽曲情報のうち、前記条件設定部に設定された前記嗜好情報と一致する楽曲情報のみを前記記憶部に保存する、請求項３に記載のラジオ放送受信装置。
【請求項５】
前記周波数制御部は、前記システムが起動されていない状態においてのみ、前記受信部が受信する周波数を順次切り替える、請求項４に記載のラジオ放送受信装置。
【請求項６】
前記周波数制御部は、前記第２楽曲情報抽出部が、前記受信部が受信した前記放送信号から前記楽曲情報を抽出する毎に、前記受信部が受信する周波数を切り替える、請求項５に記載のラジオ放送受信装置。
【請求項７】
前記受信部は、第１受信部および第２受信部を備え、
前記第１受信部は、前記ラジオ放送受信装置のシステムが起動されている状態においてのみ、ユーザから指定された１の放送局から前記放送信号を受信し、
前記第２受信部は、前記システムの起動状態に関わらず、前記周波数制御部によって切り替えられた周波数の放送局から順次放送信号を受信する、請求項１に記載のラジオ放送受信装置。
【請求項８】
前記楽曲情報抽出部は、第１楽曲情報抽出部および第２楽曲情報抽出部を備え、
前記第１楽曲情報抽出部は、前記システムが起動されている状態においてのみ、ユーザからの要求に応じて、前記第１受信部が受信中の放送信号から楽曲情報を抽出して前記記憶部に保存し、
前記第２楽曲情報抽出部は、前記システムの起動状態に関わらず、前記第２受信部が順次受信する複数の放送局の放送信号から前記楽曲情報を抽出し、前記条件設定部に設定された前記嗜好情報に基づいて、抽出した前記楽曲情報を前記記憶部に保存する、請求項７に記載のラジオ放送受信装置。
【請求項９】
前記第２楽曲情報抽出部は、抽出した前記楽曲情報のうち、前記条件設定部に設定された前記嗜好情報と一致する楽曲情報のみを前記記憶部に保存する、請求項８に記載のラジオ放送受信装置。
【請求項１０】
前記周波数制御部は、前記システムの起動状態に関わらず、前記第２受信部が受信する周波数を順次切り替える、請求項９に記載のラジオ放送受信装置。
【請求項１１】
前記周波数制御部は、前記第２楽曲情報抽出部が、前記第２受信部が受信した前記放送信号から前記楽曲情報を抽出する毎に、前記受信部が受信する周波数を切り替える、請求項５に記載のラジオ放送受信装置。
【請求項１２】
前記記憶部に保存される楽曲情報は、前記楽曲情報抽出部が前記記憶部に保存した回数を表す放送回数情報を含み、
前記楽曲情報抽出部は、抽出した楽曲情報と同一の楽曲情報が既に前記記憶部に保存されている場合には、前記記憶部に保存されている前記同一の楽曲情報の放送回数情報の数字を１つ加算して更新する、請求項１に記載のラジオ放送受信装置。
【請求項１３】
前記楽曲情報抽出部が、前記楽曲情報を前記記憶部に保存する場合に、アラーム音を出力する請求項１に記載のラジオ放送受信装置。
【請求項１４】
前記記憶部に保存されている前記楽曲情報を、外部機器に転送する転送部をさらに備える、請求項１に記載のラジオ放送受信装置。
【請求項１５】
前記記憶部に保存されている楽曲情報を表示する表示部をさらに備える、請求項１に記載のラジオ放送受信装置。
【請求項１６】
所定の周波数の放送局から放送信号を受信する受信ステップと、
前記受信ステップにより受信中の前記放送信号から前記放送局が放送中の楽曲に関する楽曲情報を抽出し、条件設定部に設定されたユーザの嗜好情報に基づいて、抽出した前記楽曲情報を記憶部に保存する楽曲情報抽出ステップと、
前記受信部が受信する周波数を順次切り替える周波数制御ステップと、
を含む、ラジオ放送受信装置におけるラジオ放送受信方法。
【請求項１７】
前記受信ステップは、前記ラジオ放送受信装置のシステムが起動されていない状態においては、前記周波数制御ステップにより切り替えられた周波数の放送局から前記放送信号を順次受信し、前記システムが起動されている状態においては、ユーザから指定された１の放送局から前記放送信号を受信する、請求項１６に記載のラジオ放送受信方法。
【請求項１８】
前記受信部は、第１受信部および第２受信部を備え、
前記受信ステップは、前記ラジオ放送受信装置のシステムが起動されていない状態においては、前記第２受信部が、前記周波数制御ステップにより切り替えられた周波数の放送局から前記放送信号を順次受信し、
前記システムが起動されている状態においては、前記第１受信部が、ユーザから指定された１の放送局から前記放送信号を受信する第１受信ステップと、
前記第２受信部が、前記周波数制御ステップにより切り替えられた周波数の放送局から前記放送信号を順次受信する第２受信ステップと、を含む、請求項１６に記載のラジオ放送受信方法。
【発明の詳細な説明】
【技術分野】
【０００１】
本発明は、ラジオ放送受信装置およびラジオ放送受信方法に関する。
【背景技術】
【０００２】
デジタルラジオ放送では、放送局は、音声データに加えて番組情報などを送信することができる。例えば、音楽番組を放送する放送局は、放送中の楽曲のアーティスト名、タイトル、ジャンルなどのテキスト情報を送信することができる。
【０００３】
一方、ラジオ放送を受信するラジオ放送受信装置は、デジタルラジオ放送の放送局から送信されるテキスト情報に基づいて、種々の機能を備えることができる。例えば、ラジオ放送受信装置は、テキスト情報に含まれるアーティスト名、タイトル、ジャンルなどの楽曲に関する情報を表示することができる。これにより、ユーザは、現在流れている楽曲の情報を視覚的に認識することができる。また、特許文献１には、過去に放送された楽曲の放送頻度などを分析して表示するラジオ放送受信装置が開示されている。これにより、ユーザは、実際に放送を聴いていなくても、過去に放送された頻度の高い楽曲を認識することができる。
【０００４】
さらに、ユーザは、現在流れている楽曲が気に入った場合、ラジオ放送受信装置に備えられる「タグ」ボタンなどを押すことにより、現在流れている楽曲の楽曲情報を保存することができる。このような技術は、例えば、Ｂｕｙ  Ｂｕｔｔｏｎ機能と呼ばれ、ラジオ放送受信装置に備えられることができる。その後、ラジオ放送受信装置と接続された外部機器に当該楽曲情報を転送し、インターネットなどのネットワークを介して当該楽曲ファイルを購入することができる。このような技術は、例えば「ｉＴｕｎｅｓ（登録商標）  Ｔａｇｇｉｎｇ」などと呼ばれ、デジタルラジオ放送の普及に伴い実用化が進んでいる。したがって、ユーザは、ラジオ放送受信装置から現在流れている楽曲を気に入った場合、ボタンを押すだけで当該楽曲情報をラジオ放送受信装置に保存することができ、当該楽曲情報を外部機器などに転送することによりインターネットなどを介して楽曲ファイルを購入することができる。
【０００５】
【特許文献１】国際公開ＷＯ２００５−０７６５０６号
【発明の開示】
【発明が解決しようとする課題】
【０００６】
しかし、従来のＢｕｙ  Ｂｕｔｔｏｎ機能を備えるラジオ放送受信装置では、現在ラジオ放送受信装置から流れている楽曲の楽曲情報のみしか保存することができない。また、特許文献１に記載のラジオ放送受信装置も、過去に放送された楽曲を表示するのみであり、ユーザが楽曲ファイルの購入を希望する楽曲情報を提供することができない。したがって、ユーザは、実際に現在聴いている放送局以外の放送局で放送された、または放送中のユーザの嗜好に適合する楽曲の楽曲情報を取得することができないという問題があった。
【０００７】
そこで、本発明は、上記問題に鑑みてなされたものであり、本発明の目的とするところは、受信可能な複数の放送局で放送された、または放送中の楽曲のうち、ユーザの嗜好に適合する楽曲情報のみを保存し、ユーザに当該楽曲の購入の機会を提供することが可能な、新規かつ改良されたラジオ放送受信装置およびラジオ放送受信方法を提供することにある。
【課題を解決するための手段】
【０００８】
上記課題を解決するために、本発明のある観点によれば、所定の周波数の放送局から放送信号を受信する受信部と、ユーザの楽曲に関する嗜好情報を設定する条件設定部と、前記受信部が受信中の放送信号から前記放送局が放送中の楽曲に関する楽曲情報を抽出し、前記条件設定部に設定された前記嗜好情報に基づいて、抽出した前記楽曲情報を記憶部に保存する楽曲情報抽出部と、前記受信部が受信する周波数を順次切り替える周波数制御部と、を備えるラジオ放送受信装置が提供される。
【０００９】
係る構成により、ラジオ放送受信装置が備える楽曲情報抽出部は、各放送局が放送中の楽曲に関する楽曲情報を抽出することができる。さらに楽曲情報抽出部は、抽出した楽曲情報を、ユーザの楽曲に関する嗜好情報に基づいて、記憶部に保存することができる。また、ラジオ放送受信装置が備える受信部は、周波数制御部により順次切り替えられる周波数の放送局から放送信号を受信することができる。
【００１０】
また、ラジオ放送受信装置の備える受信部は、前記ラジオ放送受信装置のシステムが起動されていない状態においては、前記周波数制御部によって切り替えられた周波数の放送局から順次放送信号を受信し、前記システムが起動されている状態においては、ユーザから指定された１の放送局から前記放送信号を受信することもできる。
【００１１】
また、前記楽曲情報抽出部は、第１楽曲情報抽出部および第２楽曲情報抽出部を備え、前記第１楽曲情報抽出部は、前記システムが起動されている状態においてのみ、ユーザからの要求に応じて、前記受信部が受信中の放送信号から楽曲情報を抽出して前記記憶部に保存し、前記第２楽曲情報抽出部は、前記システムが起動されていない状態において、前記受信部が順次受信する複数の放送局の放送信号から前記楽曲情報を抽出し、前記条件設定部に設定された前記嗜好情報に基づいて、抽出した前記楽曲情報を前記記憶部に保存することもできる。
【００１２】
また、前記第２楽曲情報抽出部は、抽出した前記楽曲情報のうち、前記条件設定部に設定された前記嗜好情報と一致する楽曲情報のみを前記記憶部に保存することもできる。
【００１３】
また、前記周波数制御部は、前記システムが起動されていない状態においてのみ、前記受信部が受信する周波数を順次切り替えることもできる。
【００１４】
また、前記周波数制御部は、前記第２楽曲情報抽出部が、前記受信部が受信した前記放送信号から前記楽曲情報を抽出する毎に、前記受信部が受信する周波数を切り替えることもできる。
【００１５】
また、ラジオ放送受信装置の備える受信部は、第１受信部および第２受信部を備え、前記第１受信部は、前記ラジオ放送受信装置のシステムが起動されている状態においてのみ、ユーザから指定された１の放送局から前記放送信号を受信し、前記第２受信部は、前記システムの起動状態に関わらず、前記周波数制御部によって切り替えられた周波数の放送局から順次放送信号を受信することもできる。
【００１６】
また、前記楽曲情報抽出部は、第１楽曲情報抽出部および第２楽曲情報抽出部を備え、
前記第１楽曲情報抽出部は、前記システムが起動されている状態においてのみ、ユーザからの要求に応じて、前記第１受信部が受信中の放送信号から楽曲情報を抽出して前記記憶部に保存し、前記第２楽曲情報抽出部は、前記システムの起動状態に関わらず、前記第２受信部が順次受信する複数の放送局の放送信号から前記楽曲情報を抽出し、前記条件設定部に設定された前記嗜好情報に基づいて、抽出した前記楽曲情報を前記記憶部に保存することもできる。
【００１７】
また、前記第２楽曲情報抽出部は、抽出した前記楽曲情報のうち、前記条件設定部に設定された前記嗜好情報と一致する楽曲情報のみを前記記憶部に保存することもできる。
【００１８】
また、前記周波数制御部は、前記システムの起動状態に関わらず、前記第２受信部が受信する周波数を順次切り替えることもできる。
【００１９】
また、前記周波数制御部は、前記第２楽曲情報抽出部が、前記第２受信部が受信した前記放送信号から前記楽曲情報を抽出する毎に、前記受信部が受信する周波数を切り替えることもできる。
【００２０】
また、前記記憶部に保存される楽曲情報は、前記楽曲情報抽出部が前記記憶部に保存した回数を表す放送回数情報を含み、前記楽曲情報抽出部は、抽出した楽曲情報と同一の楽曲情報が既に前記記憶部に保存されている場合には、前記記憶部に保存されている前記同一の楽曲情報の放送回数情報の数字を１つ加算して更新することもできる。
【００２１】
また、前記楽曲情報抽出部が、前記楽曲情報を前記記憶部に保存する場合に、アラーム音を出力することもできる。
【００２２】
前記ラジオ放送受信装置はまた、前記記憶部に保存されている前記楽曲情報を、外部機器に転送する転送部をさらに備える、請求項１に記載のラジオ放送受信装置。
【００２３】
前記ラジオ放送受信装置はまた、前記記憶部に保存されている楽曲情報を表示する表示部をさらに備えることもできる。
【発明の効果】
【００２４】
以上説明したように本発明によれば、受信可能な複数の放送局で放送された、または放送中の楽曲のうち、ユーザの嗜好に適合する楽曲情報のみを保存し、ユーザに当該楽曲の購入の機会を提供することが可能な、新規かつ改良されたラジオ放送受信装置を提供することができる。
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。また、説明は以下の順序で行うものとする。
１．Ｂｕｙ  Ｂｕｔｔｏｎ機能を利用した楽曲ファイル購入のシステム
２．従来のラジオ放送受信装置１０
２−１．ラジオ放送受信装置１０の機能構成
２−２．楽曲情報の保存フロー
３．第１実施形態
３−１．ラジオ放送受信装置１００の機能構成
３−２．楽曲情報の保存フロー
４．第２実施形態
４−１．ラジオ放送受信装置２００の機能構成
４−２．楽曲情報の保存フロー
【００２６】
（１．Ｂｕｙ  Ｂｕｔｔｏｎ機能を利用した楽曲ファイル購入のシステム）
本発明の実施形態に係るラジオ放送受信装置の特徴を説明するにあたり、まず、ラジオ放送受信装置が備えるＢｕｙ  Ｂｕｔｔｏｎ機能により、楽曲を購入するシステムの概略について説明する。図１０は、ラジオ放送受信装置の備えるＢｕｙ  Ｂｕｔｔｏｎ機能により、所定の楽曲ファイルを購入するためのシステムの全体構成を概略的に示す説明図である。
【００２７】
図１０に示すように、ラジオ放送受信装置１０は、放送局１１からデジタルラジオ放送（ＨＤ（Ｈｙｂｒｉｄ  Ｄｉｇｉｔａｌ）ラジオ放送）を受信し、放送局１１が放送中の楽曲を音声出力することができる。ここで、デジタルラジオ放送においては、放送局１１は、音声データに加えて、放送中の楽曲の内容に関する楽曲情報などをテキスト情報として送信することができる。放送局１１は、例えば、放送中の楽曲のアーティスト名、タイトルなどを含む楽曲情報を音声データに加えて送信することができる。したがって、ラジオ放送受信装置１０は、放送局１１から送信された楽曲情報を、例えば液晶モニタなどの表示部に表示することができる。
【００２８】
ここで、ユーザが現在ラジオ放送受信装置１０から流れている楽曲を気に入った場合、ラジオ放送受信装置１０に備えられている操作入力部、またはリモコンなどを介して当該楽曲情報の保存を、ラジオ放送受信装置１０に対して指示することができる。ユーザからの指示を受けたラジオ放送受信装置１０は、現在放送局１１から受信中の楽曲に関する、例えば、アーティスト名、タイトルなどの情報を楽曲情報として保存することができる。このように、ユーザからの指示に応じて、現在放送中の楽曲に関する楽曲情報を保存する機能は、「Ｂｕｙ  Ｂｕｔｔｏｎ機能」などと呼ばれている。
【００２９】
その後、ユーザは、携帯型音楽プレイヤー１３などをラジオ放送受信装置１０に接続することにより、ラジオ放送受信装置１０に保存された楽曲情報を、携帯型音楽プレイヤー１３に転送することができる。
【００３０】
さらに、ユーザは、携帯型音楽プレイヤー１３をＰＣ（Ｐｅｒｓｏｎａｌ  Ｃｏｍｐｕｔｅｒ）１５などのネットワーク接続機能を備える情報処理装置と接続することにより、携帯型音楽プレイヤー１３に保存されている楽曲情報をＰＣ１５に転送することができる。その後、ユーザは、ＰＣ１５に保存されている楽曲情報に基づいて、インターネットにより、例えば楽曲ファイルの購入サイトなどにアクセスすることにより、当該楽曲ファイルを購入することができる。この結果ユーザは、購入した楽曲ファイルをＰＣ１５で再生することができる。また、購入した楽曲ファイルを携帯型音楽プレイヤー１３に転送することにより、当該楽曲を携帯型音楽プレイヤー１３で聴くこともできる。このように、ユーザは、ラジオ放送受信装置１０から流れる楽曲を気に入った場合、インターネットを介して当該楽曲を購入するために必要な楽曲情報を、ラジオ放送受信装置１０が備えるＢｕｙ  Ｂｕｔｔｏｎ機能により容易に取得することができる。すなわち、ラジオ放送受信装置１０は、現在音声出力中の楽曲に関する楽曲情報を、ユーザからの指示に応じて保存することができる。
【００３１】
なお、図１０に示す楽曲ファイルの購入システムは、ラジオ放送受信装置１０を利用した一例であり、これに限定されるものではない。例えば、携帯型音楽プレイヤー１３がネットワーク接続機能を備えている場合には、携帯型音楽プレイヤー１３が楽曲の購入サイトに直接アクセスすることにより、楽曲ファイルを購入することも可能である。また、携帯型音楽プレイヤー１３を介することなく、ラジオ放送受信装置１０から直接ＰＣ１５に楽曲ファイルを転送することも可能である。
（２．従来のラジオ放送受信装置１０）
本発明の実施形態に係るラジオ放送受信装置の特徴を明確にするために、まず、上記のような楽曲ファイルの購入を実現することができる、従来のラジオ放送受信装置１０について説明する。図１１は、Ｂｕｙ  Ｂｕｔｔｏｎ機能を備える従来のラジオ放送受信装置１０の機能構成を示す説明図である。
【００３２】
図１１に示すように従来のラジオ放送受信装置１０は主に、アンテナ１２と、受信部１４と、音声デコード部１６と、アンプ１８と、音声出力部２０と、デジタル信号デコード部２２と、表示部２４と、楽曲情報管理部２６と、を含んで構成される。従来のラジオ放送受信装置１０を構成するこれらの各構成部は、バス（図示せず）によって接続され、ＣＰＵ（Ｃｅｎｔｒａｌ  Ｐｒｏｃｅｓｓｉｎｇ  Ｕｎｉｔ）（図示せず）によって制御される。以下、従来のラジオ放送受信装置１０の各構成部について説明する。
【００３３】
アンテナ１２は、複数のラジオ放送局１１からの放送信号を受信する。アンテナ１２は、ラジオ放送受信装置１０が受信可能な周波数の放送信号を受信することができる。受信部１４は、アンテナ１２で受信した放送信号のうち、所定のラジオ放送局１１の周波数信号を検出する。受信部１４は、例えば、操作入力部（図示せず）などを介してユーザから指定された周波数の放送信号を検出することができる。また、受信部１４は、例えば、あらかじめユーザにより設定された放送局１１に対応する周波数の放送信号を検出することもできる。受信部１４により検出された放送信号はその後、音声デコード部１６およびデジタル信号デコード部２２に転送される。
【００３４】
音声信号デコード部１６は、受信部１４から転送された放送信号の中の音声データをデコードする。音声信号デコード部１６によりデコードされた音声データは、その後アンプ１８に転送される。
【００３５】
アンプ１８は、音声デコード部１６によりデコードされた音声データの信号を増幅する。アンプ１８は、例えば、ユーザによる指示、ラジオ放送受信装置１０の自動設定などにより、任意に音声データ信号を増幅することができる。アンプ１８により増幅された音声データは、その後、音声出力部２０を介して音声出力される。
【００３６】
デジタル信号デコード部２２は、受信部１４から転送された放送信号に含まれるテキスト情報をデコードする。例えば、デジタルラジオ放送においては、放送局１１は、音声データに加えて、放送中の楽曲の内容に関する楽曲情報などをテキスト情報として送信することができる。例えば、音楽番組を放送する放送局１１は、放送中の楽曲のアーティスト名、タイトル、ジャンルなどのテキスト情報を、楽曲信号に加えて送信することができる。テキスト情報は、例えばＩＤ３タグの形式などで送信される。
【００３７】
図１２は、デジタルラジオ放送の放送局が送信するＩＤ３タグ形式のテキスト情報の一例を示す概念図である。図１２に示すように、ＩＤ３タグは、「アーティスト名」３６、「タイトル」３８、「ジャンル」４０、「コメント」４２の情報を含んで構成される。ＩＤ３タグは通常、放送局１１が現在放送中の楽曲を紹介するために生成し、音声信号に加えて送信する。従来のラジオ放送受信装置１０のデジタル信号デコード部２２は、受信部１４が受信した放送信号をデコードすることにより、これらＩＤ３タグに含まれる各種情報を複号することができる。デジタル信号デコード部２２によってデコードされたテキスト情報は、その後、表示部２４に転送される。
【００３８】
表示部２４は、デジタル信号デコード部２２から転送されたテキスト情報を表示する表示装置であり、例えばＣＲＴ（Ｃａｔｈｏｄｅ  Ｒａｙ  Ｔｕｂｅ）、液晶表示装置、有機ＥＬ（Ｅｌｅｃｔｒｏ  Ｌｕｍｉｎｅｓｃｅｎｃｅ）表示装置などである。表示部２４は、デジタル信号デコード部２２によってデコードされた楽曲情報、例えば、アーティスト名、タイトル、ジャンルなどを表示することができる。これによりユーザは、表示部２４に表示された楽曲情報により、現在ラジオ放送受信装置１０から流れている楽曲に関する楽曲情報を視覚的に認識することができる。
【００３９】
次に楽曲情報管理部２６は、図１１に示すように、主に、抽出指示受付部２８と、楽曲情報抽出部３０と、記憶部３２と、転送部３４と、を含んで構成される。楽曲情報管理部２６は、上述したＢｕｙ  Ｂｕｔｔｏｎ機能による楽曲ファイルの購入を実現するための機能である。以下、楽曲情報管理部２６の各構成部について説明する。
【００４０】
抽出指示受付部２８は、現在ラジオ放送受信装置１０が音声出力している楽曲をユーザが気に入った場合に、当該楽曲に関する楽曲情報の保存指示をユーザから受け付ける。抽出指示受付部２８により受け付けられたユーザからの保存指示は、その後楽曲情報抽出部３０へ転送される。
【００４１】
楽曲情報抽出部３０は、ユーザからの保存指示に応じて、デジタル信号デコード部２２によって復号されたテキスト情報から楽曲情報を抽出し、記憶部３２に保存する。前述したように、各放送局１１からは、放送中の楽曲の内容に関する情報を含むＩＤ３タグ形式のテキスト情報が送信される。したがって、楽曲情報抽出部３０は、図１２に示したＩＤ３タグ形式のテキスト情報から、「アーティスト名」、「タイトル」、「ジャンル」などの楽曲情報を抽出することができる。
【００４２】
記憶部３２は、楽曲情報抽出部３０が抽出した楽曲情報を記憶するメモリである。上述したように、抽出指示受付部２８は、現在ラジオ放送受信装置１０が受信中の楽曲に関する楽曲情報の保存指示をユーザから受け付けると、当該保存指示を楽曲情報抽出部３０へ転送する。楽曲情報抽出部３０は、ユーザからの保存指示に応じて、楽曲情報を抽出し、記憶部３２に保存する。したがって、記憶部３２には、楽曲の再生中にユーザから保存指示を受け付けた楽曲に関する楽曲情報のみが記憶されることとなる。すなわち、記憶部３２には、ユーザから楽曲情報の保存指示を受ける毎に、楽曲情報が保存されていく。図１３は、記憶部３２に保存されている楽曲情報の概念を示す説明図である。図１３に示すように、記憶部３２は、複数の楽曲情報を保存することができる。これらの楽曲情報は全て、ラジオ放送受信装置１０が楽曲を放送中に、ユーザからの保存指示に応じて記憶部３２に保存されたものである。
【００４３】
転送部３４は、記憶部３２に保存されている楽曲情報を、例えば、携帯型音楽プレイヤー（以下ＤＭＰ：Ｄｉｇｉｔａｌ  Ｍｅｄｉａ  Ｐｌａｙｅｒともいう）１３、ＰＣ１５などの外部機器に転送する。転送部３４は、ＤＭＰ１３やＰＣ１５などの外部機器と有線接続するための接続インターフェースであり、例えば、ＵＳＢ（Ｕｎｉｖｅｒｓａｌ  Ｓｅｒｉａｌ  Ｂｕｓ）接続端子などである。
【００４４】
係る構成により、従来のラジオ放送受信装置１０は、ユーザから楽曲情報の保存指示を受け付けた場合に、現在放送中の楽曲に関する楽曲情報を保存することができる。これにより、上述した図１０のシステムを利用して、ユーザは当該楽曲の楽曲ファイルを、インターネットを介して購入することができる。
（２−２．楽曲情報の保存フロー）
次に、Ｂｕｙ  Ｂｕｔｔｏｎ機能を備える従来のラジオ放送受信装置１０が、ユーザからの保存指示に応じて楽曲情報を抽出する流れについて図１４を参照にして説明する。図１４は、ラジオ放送受信装置１０が、ユーザからの保存指示に応じて楽曲情報を保存する流れを示すフロー図である。
【００４５】
図１４に示すように、ラジオ放送受信装置１０は、ステップ５０において、ラジオ放送受信装置１０の電源が投入されているか否かを判断する。電源が投入されていない場合（以下システムＯＦＦという）、ラジオ放送受信装置１０は放送局１１が放送中の楽曲を音声出力しない。したがって、ユーザからの楽曲情報の保存指示もなく、楽曲情報は抽出されない。
【００４６】
ステップ５０において、ラジオ放送受信装置１０の電源が投入されている場合（以下システムＯＮという）、ステップ５２において、受信部１４は、アンテナ１２を介して所定の周波数の放送信号を受信する。このとき受信部１４は、例えばユーザが指定した周波数の放送信号を受信することができ、または、ユーザが指定した放送局１１に対応する周波数の放送信号を受信することもできる。
【００４７】
次にステップ５４において、ラジオ放送受信装置１０は、音声デコード部１４、アンプ１６および音声出力部１８を介して、放送信号を音声出力する。これにより、ユーザは、指定した放送局１１が放送中の楽曲を聴くことができる。さらに、ステップ５６において、表示部２４は、現在ユーザが聴いている楽曲の楽曲情報を表示する。これにより、ユーザは、現在聴いている楽曲の楽曲情報、例えば、アーティスト名、タイトル、ジャンルなどを視覚的に認識することができる。
【００４８】
次に、ステップ５８において、抽出指示受付部２８は、ユーザから楽曲情報の保存指示を受け付けたか否かを判断する。ユーザからの保存指示があった場合には、楽曲情報抽出部３０は、ステップ６０において、現在ラジオ放送受信装置１０が受信中の楽曲情報を記憶部３２に保存する。
【００４９】
その後、ラジオ放送受信装置１０は、システムＯＮの状態において、ステップ５０〜ステップ６０を繰り返し行い、ユーザからの保存指示がある毎に、放送中の楽曲に関する楽曲情報を記憶部３２に保存することができる。
【００５０】
このように、従来の一般的なラジオ放送受信装置１０は、ラジオ放送受信装置１０がシステムＯＮの場合に、ユーザからの保存指示に応じて、放送中の楽曲に関する楽曲情報を保存することができる。これによりユーザは、当該保存された楽曲情報を外部機器に転送することにより、インターネットを介して当該楽曲の楽曲ファイルを購入することができる。
【００５１】
しかしながら、上記のように構成された従来のラジオ放送受信装置１０は、現在受信中の楽曲情報のみしか保存することができない。すなわち、ユーザは、現在聴いている放送局１１の楽曲情報のみしか保存を指示することができない。したがって、本来ユーザの嗜好に適合する楽曲が、他の放送局１１で放送されている場合においては、ユーザは、当該楽曲を購入するために必要な楽曲情報を取得することができない。また、ラジオ放送受信装置１０がシステムＯＦＦの場合には、ユーザは、楽曲情報の保存を指示することができない。したがって、例えば、システムＯＦＦの場合に、本来ユーザの嗜好に適合する楽曲が、所定の放送局１１で放送されている場合にも、ユーザは、当該楽曲を購入するために必要な楽曲情報を取得することができない。
【００５２】
本発明は、このような従来のラジオ放送受信装置１０の問題点を解決するものであり、以下に本発明の各実施形態に係るラジオ放送受信装置について説明する。
【００５３】
（３．第１実施形態）
上記従来のラジオ放送受信装置１０は、現在受信中の放送局１１の楽曲情報のみしか保存することができない。これに対し、本発明の第１実施形態に係るラジオ放送受信装置１００は、システムＯＦＦの状態において、複数の放送局１１からの放送信号に加えられたテキスト情報から楽曲情報を抽出し、当該楽曲情報がユーザの嗜好に適合する楽曲情報であるか否かを判断する。ラジオ放送受信装置１００は、抽出した楽曲情報がユーザの嗜好に適合する場合には、当該楽曲情報を保存する。これにより、システムＯＦＦの状態において、各放送局１１で放送されたユーザの嗜好に適合した楽曲に関する楽曲情報を、ユーザに提供することができる。この結果、ユーザはラジオ放送を聴いていなくても、各放送局１１で放送された自らの嗜好に適合する楽曲を認識することができ、当該楽曲の楽曲ファイルを購入するのに必要な楽曲情報を取得することができる。以下、このような特徴を有する第１実施形態に係るラジオ放送受信装置１００について説明する。
（３−１．ラジオ放送受信装置１００の機能構成）
まず、本発明の第１実施形態に係るラジオ放送受信装置１００の機能構成について説明する。図１は、第１実施形態に係るラジオ放送受信装置１００の機能構成を示す機能ブロック図である。
【００５４】
図１に示すように、ラジオ放送受信装置１００は主に、アンテナ１２と、受信部１０２と、音声デコード部１６と、アンプ１８と、音声出力部２０と、デジタル信号デコード部１０４と、表示部１０６と、楽曲情報管理部１１６と、を含んで構成される。ラジオ放送受信装置１００を構成するこれらの各構成部は、バス（図示せず）によって接続され、ＣＰＵ（Ｃｅｎｔｒａｌ  Ｐｒｏｃｅｓｓｉｎｇ  Ｕｎｉｔ）（図示せず）によって制御される。以下、第１実施形態に係るラジオ放送受信装置１００の各構成部について説明する。なお、アンテナ１２、音声デコード部１６、アンプ１８および音声出力部２０は、上述した従来のラジオ放送受信装置１０と同様であるため、詳細な説明は省略し、本実施形態の特徴的部分である楽曲情報管理部１１６を中心に説明する。
【００５５】
図１に示すように、楽曲情報管理部１１６は、上述した従来のラジオ放送受信装置１０と同様に、抽出指示受付部１２８と、記憶部１３２と、転送部１３４とを備える。さらに、本実施形態に係るラジオ放送受信装置１００は、上述した従来のラジオ放送受信装置１０と異なり、第１楽曲情報抽出部１１８と、第２楽曲情報抽出部１２０と、条件設定部１２２と、周波数制御部１２４と、を含んで構成される。
【００５６】
抽出指示受付部１２８は、現在ラジオ放送受信装置１００が音声出力している楽曲をユーザが気に入った場合に、当該楽曲に関する楽曲情報の保存指示をユーザから受け付ける。抽出指示受付部１２８は、例えば、ラジオ放送受信装置１００に備えられる操作ボタン、タッチパネルなどの操作入力部を介してユーザからの保存指示を受け付けることができる。また、抽出指示受付部１２８は、例えば、リモートコントローラなどから送信される赤外線を受信することにより、ユーザからの保存指示を受け付けることもできる。このように、抽出指示受付部１２８は、ユーザからの指示を受け付けるものであり、当該指示の受付方法については特定の方法に限定されるものではない。抽出指示受付部１２８により受け付けられたユーザからの保存指示は、その後第１楽曲情報抽出部１１８へ転送される。
【００５７】
条件設定部１２２は、ラジオ放送受信装置１００が、各放送局１１で放送される楽曲の中からユーザの嗜好に適合する楽曲の楽曲情報みを保存するために、ユーザの嗜好情報を検索条件として設定する。前述したように、第１実施形態に係るラジオ放送受信装置１００は、システムＯＦＦの状態において、各放送局１１で放送される楽曲のうち、ユーザの嗜好に適合する楽曲のみを検索し、当該楽曲の楽曲情報を保存することを特徴とする。したがって、条件設定部１２２は、ラジオ放送受信装置１００が保存する楽曲情報の条件をユーザより受け付けるものである。ユーザは、例えば、表示部１０６に表示される条件設定モードなどにより、保存する楽曲情報の条件を設定することができる。
【００５８】
図２は表示部１０６に表示される条件入力の設定画面の一例を示す説明図である。図２に示すように、ユーザは、楽曲情報の検索条件を任意に設定することができる。すなわち、ユーザは、楽曲ファイルの購入を検討している楽曲など、ユーザの嗜好に基づいて任意に検索条件を設定することができる。図２に示す例では、ユーザは検索条件１として、アーティスト名「宇多谷ヒカル」を設定し、検索条件２として、タイトル「Ｌｏｖｅ」を設定している。また、検索条件１と検索条件２とは、「ＡＮＤ」演算で処理され、検索条件１および検索条件２のいずれも満足する楽曲が、当該検索条件に適合することとなる。このようにして設定される検索条件は、ユーザの楽曲に関する嗜好情報を反映するものであるといえる。このようにして設定された、ユーザの嗜好情報を反映する検索条件に従って、後述する第２楽曲情報抽出部１２０は、各放送局１１で放送される楽曲の中から、当該検索条件に適合する楽曲情報のみを検索し、記憶部３２に保存する。なお、図２に示す表示例は、本実施形態を説明する上での一例であり、これに限定されるものではない。例えば、アーティスト名、タイトル、ジャンル以外のキーワードを設定することもできる。また、検索条件は２つに限定されるものではなく、３以上の検索条件を設定することも、１の検索条件のみを設定することも当然に可能である。さらに、複数の検索条件は「ＡＮＤ」演算のみならず、「ＯＲ」演算により検索するように設定することも当然に可能である。
【００５９】
周波数制御部１２４は、アンテナ１２が受信した各放送局１１の放送信号の中から受信部１０２が検出する周波数を周期的に切り替える。前述したように、第１実施形態に係るラジオ放送受信装置１００は、システムＯＦＦの状態において、各放送局１１が放送中の楽曲から、条件設定部１２２に設定された検索条件に適合する楽曲のみを検索し、当該楽曲情報を保存することを特徴とする。したがって、周波数制御部１２４は、システムＯＦＦの場合にのみ、受信部１０２がアンテナ１２を介して受信する周波数を周期的に切り替える。これにより、受信部１０２は、システムＯＦＦの状態においては、周波数制御部１２４によって周期的に切り替えられる周波数の放送信号を、アンテナ１２を介して受信することができる。また、受信部１０２によって受信した放送信号はその後、デジタル信号デコード部１０４に転送される。これにより、ラジオ放送受信装置１００は、システムＯＦＦの状態においても、受信部１０２が受信した放送信号から楽曲情報を取得することができる。
【００６０】
次に、第１実施形態に係るラジオ放送受信装置１００は、第１楽曲情報抽出部１１８および第２楽曲情報抽出部１２０の２つの楽曲情報抽出部を備えることを特徴としている。第１楽曲情報抽出部１１８は、前述した従来のラジオ放送受信装置１０が備える楽曲情報抽出部３０と同様に、抽出指示受付部１２８が受け付けたユーザからの保存指示に応じて、現在放送中の楽曲に関する楽曲情報を記憶部１３２に保存する。すなわち、第１楽曲情報抽出部１１８は、システムＯＮの状態において、ユーザからの保存指示があった場合に、現在再生中の楽曲の楽曲情報を抽出して、記憶部１３２に保存する。前述したように、各放送局１１からは、放送中の楽曲の内容に関する情報を含むＩＤ３タグ形式のテキスト情報が送信される。したがって、第１楽曲情報抽出部１１８は、図１２に示したＩＤ３タグ形式のテキスト情報から、「アーティスト名」、「タイトル」、「ジャンル」などの楽曲情報を抽出し、記憶部１３２に保存することができる。なお、第１楽曲情報抽出部１１８が抽出する楽曲情報は、これに限定されるものではなく任意に変更・編集することができる。すなわち、「アーティスト名」と「タイトル」のみを抽出することも可能であり、放送局１１が図１２に示したＩＤ３タグの例以外の情報を添付した場合には、図１２に示した情報以外の楽曲情報を抽出することも可能である。
【００６１】
一方第２楽曲情報抽出部１２０は、前述した条件設定部１２２に設定された検索条件に適合する楽曲の楽曲情報のみを記憶部１３２に保存する。上述したように、ラジオ放送受信装置１００がシステムＯＦＦの場合には、周波数制御部１２４によって、受信部１０２が検出する周波数が周期的に切り替えられる。したがって、受信部１０２は、異なる周波数に対応する放送局１１からテキスト情報を周期的に受信することとなる。第２楽曲情報抽出部１２０は、受信部１０２が受信する各放送局１１からのテキスト情報から抽出された楽曲情報と、条件設定部１２２に設定された検索条件とに基づいて、ユーザの嗜好に適合する楽曲情報のみを抽出する。つまり、第２楽曲情報抽出部１２０は、受信部１０２が受信する、異なる放送局１１からのテキスト情報から楽曲情報を抽出し、検索条件と一致する楽曲情報のみを記憶部１３２に保存する。すなわち、第２楽曲情報抽出部１２０は、ラジオ放送受信装置１００がシステムＯＦＦの状態において、周期的に各放送局１１が送信するテキスト情報から楽曲情報を抽出し、検索条件と一致する場合にのみ、当該楽曲情報を記憶部１３２に保存することができる。
【００６２】
図３は、第２楽曲情報抽出部１２０によって記憶部１３２に保存された複数の楽曲情報の概念を示す説明図である。図３は、図２に示した検索条件に基づいて、第２楽曲情報抽出部１２０が楽曲情報を抽出して、記憶部１３２に保存した一例である。図２に示した検索条件では、ユーザは、アーティスト名「宇多谷ヒカル」かつタイトル「Ｌｏｖｅ」を、ユーザの嗜好情報である検索条件として設定している。この場合、第２楽曲情報抽出部１２０は、システムＯＦＦの状態において、受信部１０２が各放送局１１から受信する楽曲の中から、当該検索条件と一致する楽曲を検索し、該当する楽曲情報のみを記憶部１３２に保存する。図３に示す例では、記憶部１３２には、アーティスト名「宇多谷ヒカル」かつタイトル「Ｌｏｖｅ」の楽曲に関する楽曲情報１〜３が保存されていることがわかる。すなわち、ラジオ放送受信装置１００がシステムＯＦＦの状態において、アーティスト名「宇多谷ヒカル」かつタイトル「Ｌｏｖｅ」の検索条件に適合する３つの楽曲が各放送局１１によって放送されたことを意味する。
【００６３】
第２楽曲情報抽出部１２０はまた、検索条件と一致する楽曲ファイルを記憶部１３２に保存する際に、当該楽曲ファイルと同一の楽曲ファイルが記憶部１３２に既に保存されているか否かを判断することができる。例えば、複数の放送局１１において１つの楽曲が複数回放送された場合、第２楽曲情報抽出部１２０は、当該楽曲の楽曲ファイルを複数回抽出し、記憶部１３２に保存することとなる。この場合第２楽曲情報抽出部１２０は、楽曲情報を記憶部１３２に保存する際に、当該楽曲情報を抽出した回数を表す放送回数情報を付加することができる。すなわち、第２楽曲情報抽出部１２０は、検索条件と一致する楽曲情報が既に記憶部１３２に保存されている場合には、放送回数情報を更新して記憶部１３２に保存する。これにより、ユーザは自ら設定した検索条件と一致する楽曲が、各放送局１１によって何回放送されたかを認識することができる。この結果、ユーザは、例えば、各放送局１１で多く放送された人気のある楽曲のみを購入することなどが可能である。
【００６４】
ラジオ放送受信装置１００は、ユーザの要求によりシステムＯＮの状態になると、記憶部１３２に保存されている楽曲情報を、表示部１０６に表示することができる。これによりユーザは、実際に放送を聴いていなくても、各放送局１１で放送された自己の嗜好に適合する楽曲の楽曲情報を視覚的に認識することができる。図４は、表示部１０６に表示される楽曲情報の一例を示す説明図である。図４に示す例では、図２に示した検索条件に基づいて、第２楽曲情報抽出部１２０が抽出・保存した５つの楽曲情報が表示されている。これにより、ユーザは、システムＯＦＦの間に、各放送局１１によって放送された自己の嗜好に適合する楽曲の楽曲情報や、放送回数などを認識することができる。したがって、ユーザは表示部１０６に表示された楽曲情報の中から、任意の楽曲情報のみを選択し、転送部１３４を介して外部機器に転送することができる。すなわちユーザは、システムＯＦＦの状態において各放送局１１で放送されたユーザの嗜好に適合する楽曲の中から任意の楽曲の楽曲ファイルを購入することができる。
【００６５】
また、ラジオ放送受信装置１００は、システムＯＦＦの状態においても、ユーザに対して、検索条件に適合する楽曲情報を保存したことを通知するために、アラーム音を出力することもできる。これによりユーザは、ラジオ放送を聴いていなくても、ユーザの嗜好に適合する楽曲が現在、所定の放送局で放送されていることを聴覚的に認識することができる。
【００６６】
このようにして記憶部１３２に保存された楽曲情報は、前述したように転送部１３４を介してＤＭＰ１３やＰＣ１５などの外部機器に転送することができる。転送部１３４は、外部機器と有線接続するための接続インターフェースであり、例えば、ＵＳＢ（Ｕｎｉｖｅｒｓａｌ  Ｓｅｒｉａｌ  Ｂｕｓ）接続端子などである。また、転送部１３４は、例えば、赤外線通信などにより楽曲ファイルを外部機器に無線送信するための送信部とすることもできる。このように転送部１３４は、記憶部１３２に保存されている楽曲情報を外部機器に転送するためのものであり、転送方法は、特定の方法に限定されるものではない。
【００６７】
ユーザは、転送された楽曲情報に基づいて、インターネットを介して当該楽曲の楽曲ファイルを購入することができる。すなわち、第１実施形態に係るラジオ放送受信装置１００は、システムＯＦＦ状態において、ユーザの嗜好に適合する楽曲の楽曲情報を保存しておくことができ、ユーザに当該楽曲の購入の機会を提供することができる。
【００６８】
（３−２．楽曲情報の保存フロー）
次に、第１実施形態に係るラジオ放送受信装置１００が、ユーザの嗜好に適合する楽曲の楽曲情報を記憶部１３２に保存する流れについて図５を参照にして説明する。図５は、第１実施形態に係るラジオ放送受信装置１００が、ユーザの嗜好に適合する楽曲の楽曲情報を記憶部１３２に保存する流れを示すフロー図である。なお、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【００６９】
図５に示すように、ラジオ放送受信装置１００は、ステップ１５０において、ラジオ放送受信装置１００の電源が投入されているか否かを判断する。上述したように、第１実施形態に係るラジオ放送受信装置１００は、システムＯＦＦの状態において第２楽曲情報抽出部１２０が楽曲情報を抽出するからである。
【００７０】
ステップ１５０において、システムＯＦＦの場合には、ステップ１５２において、受信部１０２は、周波数制御部１２４によって指定された周波数の放送信号を、アンテナ１２を介して受信する。その後、受信された放送信号に含まれるテキスト情報は、デジタル信号デコード部１０４によって復号される。第２楽曲情報抽出部１２０は、ステップ１５４において、当該復号されたテキスト情報から、アーティスト名、タイトルなどの楽曲情報を抽出する。
【００７１】
次に、第２楽曲情報抽出部１２０は、ステップ１５６において、抽出した楽曲情報が、条件設定部１２２に設定された検索条件と一致するか否かを判断する。第２楽曲情報抽出部１２０は、抽出した楽曲情報が、条件設定部１２２に設定された検索条件と一致しないと判断した場合には、当該楽曲情報を記憶部１３２に保存することなくステップ１６４に進む。当該楽曲は、ユーザの嗜好に適合するものではないからである。
【００７２】
一方、第２楽曲情報抽出部１２０は、抽出した楽曲情報が、条件設定部１２２に設定された検索条件と一致すると判断した場合には、ステップ１５８において、当該抽出した楽曲情報と同一の楽曲情報が、既に記憶部１３２に保存されているか否かを判断する。第２楽曲情報抽出部１２０は、記憶部１３２に同一の楽曲情報が保存されていないと判断した場合には、ステップ１６０において、抽出した楽曲情報を記憶部１３２に保存する。
【００７３】
一方第２楽曲情報抽出部１２０は、記憶部１３２に同一の楽曲情報が既に記憶されていると判断した場合、ステップ１６２において、記憶部１３２に記憶されている楽曲情報の放送回数情報を更新する。すなわち、第２楽曲情報抽出部１２０は、記憶部１３２に記憶されている楽曲情報の放送回数の数字を１つ増加した値に更新する。これにより、ラジオ放送受信装置１００は、当該楽曲が放送局１１によって何回放送されたかについての情報も併せて保存することができる。
【００７４】
次に、ステップ１６４において、周波数制御部１２４は、受信部１０２がアンテナ１２を介して受信する放送局１１の周波数を切り替える。周波数制御部１２４は、例えば、あらかじめ設定された複数の放送局１１の周波数を順次切り替えることができ、または、現在ラジオ放送受信装置１００が受信可能な放送局１１の周波数を自動で検出し、当該検出された周波数を順次切り替えることもできる。
【００７５】
その後、ラジオ放送受信装置１００は、システムＯＮの状態になるまで、ステップ１５２〜ステップ１６４を繰り返し実行する。これにより、ラジオ放送受信装置１００は、システムＯＦＦの状態において常に、受信可能な複数の放送局１１で放送された楽曲の楽曲情報を抽出することができる。また、ラジオ放送受信装置１００は、システムＯＦＦの状態において、ユーザの嗜好情報を表す検索条件と一致する楽曲情報のみを記憶部１３２に順次保存することができる。
【００７６】
その後、ステップ１５０において、ユーザによりラジオ放送受信装置１００の電源が投入された場合、ステップ１６６に進む。
【００７７】
まず、ステップ１６６において、受信部１０２は、アンテナ１２を介して所定の周波数の放送信号を受信する。このとき受信部１０２は、例えばユーザが指定した周波数の放送信号を受信することができ、または、ユーザが指定した１の放送局１１に対応する周波数の放送信号を受信することもできる。
【００７８】
次にステップ１６８において、ラジオ放送受信装置１００は、音声デコード部１４、アンプ１６および音声出力部１８を介して、放送信号を音声出力する。これにより、ユーザは、指定した放送局１１が放送中の楽曲を聴くことができる。さらに、ステップ１７０において、表示部１０６は、現在ユーザが聴いている楽曲の楽曲情報を表示する。これにより、ユーザは、現在聴いている楽曲の楽曲情報、例えば、アーティスト名、タイトル、ジャンルなどを視覚的に認識することができる。このとき表示部１０６は、現在放送中の楽曲に関する楽曲情報のみならず、記憶部１３２に保存されている楽曲情報を表示することも当然に可能である。
【００７９】
さらに、ステップ１７２において、抽出指示受付部１２８は、ユーザから現在再生中の楽曲に関する楽曲情報を保存する指示を受けたか否かを判断する。ユーザから保存指示を受けた場合には、ステップ１７４において、第１楽曲情報抽出部１１８は、現在受信部１０２が受信中の楽曲に関する楽曲情報を抽出し、記憶部１３２に保存する。これによりユーザは、現在聴いている楽曲を気に入った場合には、当該楽曲の楽曲ファイルの購入に必要な楽曲情報をすぐに取得することができる。
【００８０】
その後、ラジオ放送受信装置１００は、システムＯＦＦの状態になると、再度ステップ１５２〜ステップ１６４により、各放送局１１で放送される楽曲の中から、検索条件と一致する楽曲を周期的に検索し、ユーザの嗜好に適合する楽曲の楽曲情報のみを記憶部１３２に記憶する。
【００８１】
このように、第１実施形態に係るラジオ放送受信装置１００は、ラジオ放送受信装置１００がシステムＯＦＦの場合に、受信部１０２がアンテナ１２を介して受信する周波数を、周波数制御部１２４により順次切り替えることができる。これにより、ラジオ放送受信装置１００は、各放送局１１から送信されるテキスト情報に基づいて、現在各放送局１１が放送中の楽曲に関する楽曲情報を抽出することができる。また、ラジオ放送受信装置１００は、条件設定部１２２に設定された検索条件に基づいて、ユーザの嗜好に適合する楽曲情報のみを抽出し、記憶部１３２に保存することができる。さらにラジオ放送受信装置１００は、システムＯＮの状態になると、現在受信部１０２がアンテナ１２を介して受信中の放送局１１の楽曲情報のみならず、記憶部１３２に記憶されている楽曲情報を表示することができる。また、システムＯＮの状態においては、ユーザからの保存指示に応じて、現在放送中の楽曲に関する楽曲情報を記憶部１３２に記憶することができる。この結果、ユーザは、現在聴いている楽曲のみならず、システムＯＦＦの状態において各放送局１１で放送された、自己の嗜好に適合する楽曲の楽曲情報を取得することができる。これによりユーザは、このようにして取得した楽曲情報を外部機器に転送することにより、当該楽曲の楽曲ファイルを、インターネットを介して購入することができる。すなわち、本実施形態に係るラジオ放送受信装置１００は、システムＯＦＦの状態において、受信可能な複数の放送局で放送された楽曲のうち、ユーザの嗜好に適合する楽曲情報のみを保存し、ユーザに当該楽曲の購入の機会を提供することが可能である。
【００８２】
（４．第２実施形態）
上記第１実施形態に係るラジオ放送受信装置１００は、システムＯＦＦの状態において、各放送局１１で放送された楽曲情報の中から検索条件と一致する楽曲情報を抽出し、記憶部１３２に保存する。したがって、ユーザが、操作入力部を介してラジオ放送受信装置１００のシステムＯＮを要求すると、システムＯＮ要求時に記憶部１３２に保存されている楽曲情報を見ることができる。しかしながら、第１実施形態に係るラジオ放送受信装置１００は、システムＯＮの状態においては、受信部１０２がアンテナ１２を介して現在ユーザが聴いている放送局１１の周波数のみを検出している。したがって、第１実施形態に係るラジオ放送受信装置１００は、システムＯＮの状態においては、他の放送局１１で放送されているユーザの嗜好に適合する楽曲の楽曲情報を抽出・保存することができない。この結果ユーザは、特定の放送局１１で放送中の楽曲を聴いている場合においては、他の放送局１１で放送されている自己の嗜好に適合する楽曲情報を取得する機会を失ってしまう場合がある。この点を解消する第２実施形態に係るラジオ放送受信装置２００について以下説明する。
【００８３】
第２実施形態に係るラジオ放送受信装置２００は、システムＯＮの状態においても、他の放送局１１の最新の楽曲情報を抽出することを特徴とする。すなわち、ユーザが特定の放送局１１の楽曲を聴いている場合でも、第２実施形態に係るラジオ放送受信装置２００は、他の複数の放送局１１の楽曲情報を順次抽出し、ユーザの嗜好と適合する楽曲情報が放送されている場合には、当該楽曲情報を記憶部２３２に保存することができる。以下に、第２実施形態に係るラジオ放送受信装置２００の機能構成について説明する。
【００８４】
（４−１．ラジオ放送受信装置２００の機能構成）
まず、本発明の第２実施形態に係るラジオ放送受信装置２００の機能構成について説明する。図６は、第２実施形態に係るラジオ放送受信装置２００の機能構成を示す機能ブロック図である。
【００８５】
図６に示すように、ラジオ放送受信装置２００は主に、アンテナ１２と、第１受信部２０２と、音声デコード部１６と、アンプ１８と、音声出力部２０と、第１デジタル信号デコード部２０４と、表示部２０６と、第２受信部２０８と、第２デジタル信号デコード部２１０と、楽曲情報管理部２１６と、を含んで構成される。ラジオ放送受信装置２００を構成するこれらの各構成部は、バス（図示せず）によって接続され、ＣＰＵ（Ｃｅｎｔｒａｌ  Ｐｒｏｃｅｓｓｉｎｇ  Ｕｎｉｔ）（図示せず）によって制御される。以下、第２実施形態に係るラジオ放送受信装置２００の各構成部について説明する。なお、アンテナ１２、音声デコード部１６、アンプ１８および音声出力部２０は、上述した従来のラジオ放送受信装置１０と同様であるため、詳細な説明は省略する。
【００８６】
第２ラジオ放送受信装置２００は、上記の第１実施形態に係るラジオ放送受信装置１００と比較して、第２受信部２０８および第２デジタル信号デコード部２１０をさらに備えている。第２実施形態に係るラジオ放送受信装置２００は、第２受信部２０８および第２デジタル信号デコード部２１０を備えることにより、システムＯＮの状態においても、各放送局１１の楽曲情報を抽出することができる。
【００８７】
第２受信部２０８は、ラジオ放送受信装置２００のシステムの起動状態に関わらず、アンテナ１２を介して、周期的に各放送局１１の周波数の放送信号を検出する。すなわち、ラジオ放送受信装置２００がシステムＯＦＦの状態においては、上記第１実施形態に係るラジオ放送受信装置１００の受信部１０２と同様に、周波数制御部２２４によって指定された周波数の放送局１１から送信される放送信号を検出する。その後、検出した放送信号は第２デジタル信号デコード部２１０に転送され、例えばＩＤ３タグ形式などのテキスト情報が復号される。さらに、上記第１実施形態に係るラジオ放送受信装置１００と同様に、楽曲情報管理部２１６によって、条件設定部２２２に設定された検索条件と一致する楽曲情報が、第２楽曲情報抽出部２２０によって抽出され、記憶部２３２に保存される。これにより、ラジオ放送受信装置２００は、ユーザからシステムＯＮの要求があった場合には、システムＯＦＦの間に各放送局１１で放送された、ユーザの嗜好と適合する楽曲に関する楽曲情報を表示部１０６に表示することができる。
【００８８】
さらに第２実施形態に係るラジオ放送受信装置２００は、２つの受信部、すなわち第１受信部２０２および第２受信部２０８を備えていることを特徴としている。これによりラジオ放送受信装置２００は、ユーザが、操作入力部を介してラジオ放送受信装置２００のシステムＯＮを要求した場合には、第１受信部２０２が、ユーザにより指定された周波数の放送信号を検出する。さらに、従来のラジオ放送受信装置１０と同様に、音声デコード部１６、アンプ１８および音声出力部２０を介して楽曲を音声出力する。また、ラジオ放送受信装置２００は、抽出指示受付部２２８がユーザからの保存指示を受け付けた場合、第１受信部２０２で受信中の放送局１１が放送中の楽曲に関する楽曲情報を、第１楽曲情報抽出部２１８により抽出し、記憶部２３２に保存することができる。
【００８９】
さらに第２受信部２０８は、ラジオ放送受信装置２００がシステムＯＮの状態においても、周期的に他の放送局１１の放送信号を、アンテナ１２を介して検出する。また、第２受信部２０８が受信した他の放送局１１の放送信号は、前述したように、第２デジタル信号デコード部２１０および第２楽曲情報管理部２１６によって、楽曲情報が抽出され、ユーザの嗜好に適合する楽曲情報のみが記憶部２３２に保存される。すなわち、第１受信部２０２は、ユーザが指定した１の放送局１１の放送信号を検出し、同時に、第２受信部２０８は、他の複数の放送局１１の放送信号を順次検出する。したがたって、ラジオ放送受信装置２００は、ユーザが特定の放送局１１の楽曲を聴いている場合においても、他の放送局１１で放送されている、ユーザの嗜好に適合する楽曲に関する楽曲情報を抽出し、記憶部２３２に保存することができる。
【００９０】
図７は、システムＯＮの状態において、ユーザが現在所定の１の放送局１１の放送を聴いている場合の表示部２０６の表示例を示す説明図である。図７に示す例では、ユーザは現在放送局「ＦＭ東阪  ７７．７ＭＨｚ」の放送を聴いており、アーティスト名「Ｍｒ．Ａｄｕｌｔ」のタイトル「旅立ちの声」という楽曲を聴いていることがわかる。このとき、ユーザは、現在聴いている楽曲を気に入った場合には、操作入力部を介して保存指示を行うことにより当該楽曲情報を取得することができる。すなわち、第１楽曲情報抽出部２１８は、ユーザからの保存指示に応じて、第１受信部２０２が受信中の放送局１１が放送中の楽曲に関する楽曲情報を抽出し、記憶部２３２に保存する。
【００９１】
一方で、第２楽曲情報抽出部２２０は、システムＯＮの状態においても、条件設定部２２２に設定された検索情報に基づいて、他の放送局１１で放送されているユーザの嗜好に適合する楽曲の楽曲情報を抽出し、記憶部２３２に保存することができる。すなわち、ユーザが図７に示す放送局「ＦＭ東阪  ７７．７ＭＨｚ」の放送を聴いている最中においても、第２楽曲情報抽出部２２０は、他の複数の放送局１１で放送中の楽曲の中から検索条件と一致する楽曲のみを検索し、記憶部３２に保存することができる。図８は、図２に示した検索条件に基づいて、第２楽曲情報抽出部２２０により楽曲情報が保存された記憶部２３２の概念を示す説明図である。図８に示すように、記憶部２３２には、ユーザの保存指示に応じて第１楽曲情報抽出部２１８が、第１受信部２０２が受信中の放送局１１で放送中の楽曲に関する楽曲情報１が保存されている。すなわち、ユーザが現在聴いているアーティスト名「Ｍｒ．Ａｄｕｌｔ」のタイトル「旅立ちの声」という楽曲情報１が保存されている。また、現在ユーザはこの楽曲情報１の楽曲を聴いているにもかかわらず、記憶部２３２には、検索条件に適合する楽曲情報２、３などが保存されていることがわかる。すなわち、楽曲情報２および楽曲情報３は、ユーザが現在聴いている放送局「ＦＭ東阪  ７７．７ＭＨｚ」以外の放送局１１で放送中の楽曲に関する楽曲情報であり、第２楽曲情報抽出部２２０によって保存されたものである。
【００９２】
このようにして記憶部２３２に保存された楽曲情報は、前述したように転送部２３４を介して外部機器に転送されることができる。ユーザは、転送された楽曲情報に基づいて、インターネットを介して当該楽曲の楽曲ファイルを購入することができる。すなわち、第２実施形態に係るラジオ放送受信装置２００は、システムの起動状態に関わらず、受信可能な複数の放送局で放送された、または放送中の楽曲のうち、ユーザの嗜好に適合する楽曲情報のみを保存することができる。
【００９３】
（４−２．楽曲情報の保存フロー）
次に、第２実施形態に係るラジオ放送受信装置２００が、ユーザの嗜好に適合する楽曲の楽曲情報を記憶部２３２に保存する流れについて図９を参照にして説明する。図９は、第２実施形態に係るラジオ放送受信装置２００が、ユーザの嗜好に適合する楽曲の楽曲情報を記憶部２３２に保存する流れを示すフロー図である。
【００９４】
図９に示すように、ラジオ放送受信装置２００は、ステップ２５０において、ラジオ放送受信装置２００がシステムＯＮの状態か否かを判断する。上述したように、第１受信部２０２は、ラジオ放送受信装置２００がシステムＯＮの状態においてのみ、ユーザの指定した放送局１１の周波数の放送信号を受信するからである。
【００９５】
ステップ２５０において、システムＯＮでない場合には、ステップ２５２において、第２受信部２０８は、周波数制御部２２４によって指定された周波数の放送信号を、アンテナ１２を介して受信する。その後、受信された放送信号に含まれるテキスト情報は、第２デジタル信号デコード部２１０によって復号される。第２楽曲情報抽出部２２０は、ステップ２５４において、当該復号されたテキスト情報から、アーティスト名、タイトルなどの楽曲情報を抽出する。
【００９６】
次に、第２楽曲情報抽出部２２０は、上述した第１実施形態に係るラジオ放送受信装置１００と同様に、ステップ２５６〜ステップ２６２において、記憶部２３２に検索条件と一致した楽曲情報を保存する。
【００９７】
次に、ステップ２６４において、周波数制御部２２４は、第２受信部２０８が、アンテナ１２を介して受信する放送局１１の周波数を切り替える。周波数制御部２２４は、例えば、あらかじめ設定された複数の放送局１１の周波数を順次切り替えることができ、または、現在ラジオ放送受信装置２００が受信可能な放送局１１の周波数を自動で検出し、当該検出された周波数を順次切り替えることもできる。
【００９８】
その後、ラジオ放送受信装置２００は、システムＯＮになるまでは、ステップ２５２〜ステップ２６４を繰り返し実行する。これにより、ラこれにより、ラジオ放送受信装置２００は、システムＯＦＦの状態において常に、受信可能な複数の放送局１１の楽曲情報を抽出することができる。また、ラジオ放送受信装置２００は、システムＯＦＦの状態において、ユーザの嗜好を表す検索条件と一致する楽曲の楽曲情報のみを保存することができる。
【００９９】
その後、ステップ２５０において、ユーザによりラジオ放送受信装置２００の電源が投入された場合、ステップ２６６に進む。
【０１００】
まず、ステップ２６６において、第１受信部２０２は、アンテナ１２を介して所定の周波数の放送信号を受信する。このとき第１受信部２０２は、例えばユーザが指定した周波数の放送信号を受信することができ、または、ユーザが指定した放送局１１に対応する周波数の放送信号を受信することもできる。
【０１０１】
次にステップ２６８において、ラジオ放送受信装置２００は、音声デコード部１４、アンプ１６および音声出力部１８を介して、第１受信部２０２が受信中の放送局の楽曲を音声出力する。これにより、ユーザは、指定した放送局１１が放送中の楽曲を聴くことができる。さらに、ステップ２７０において、表示部２０６は、現在ユーザが聴いている楽曲の楽曲情報を表示する。これにより、ユーザは、現在聴いている楽曲の楽曲情報、例えば、アーティスト名、タイトル、ジャンルなどを視覚的に認識することができる。このとき表示部２０６は、現在放送中の楽曲に関する楽曲情報のみならず、記憶部２３２に保存されている楽曲情報を表示することも当然に可能である。
【０１０２】
さらに、ステップ２７２において、抽出指示受付部２２８は、ユーザから現在再生中の楽曲に関する楽曲情報を保存する指示を受けたか否かを判断する。ユーザから保存指示を受けた場合には、ステップ２７４において、第１楽曲情報抽出部２１８は、現在受信部２０２が受信中の楽曲に関する楽曲情報を抽出し、記憶部２３２に保存する。これによりユーザは、現在聴いている楽曲を気に入った場合には、当該楽曲の楽曲ファイルの購入に必要な楽曲情報をすぐに取得することができる。
【０１０３】
さらに、第２実施形態に係るラジオ放送受信装置２００は、システムＯＮの状態、すなわち、ユーザが特定の放送局１１の楽曲を聴いている場合においても、ステップ２５２〜ステップ２６４の各処理を実行する。すなわち、ラジオ放送受信装置２００は、システムＯＮの状態においても、他の複数の放送局１１で放送されている楽曲の中から、検索条件と一致する楽曲のみを周期的に検索し、ユーザの嗜好に適合する楽曲の楽曲情報を記憶部２３２に記憶することができる。
【０１０４】
このように、第２実施形態に係るラジオ放送受信装置２００は、ラジオ放送受信装置２００のシステムの起動状態に関わらず、第２受信部２０８がアンテナ１２を介して受信する周波数を、周波数制御部２２４が順次切り替えることができる。これにより、ラジオ放送受信装置２００は、システムの起動状態に関わらず、各放送局１１から送信されるテキスト情報に基づいて、現在各放送局１１が放送中の楽曲に関する楽曲情報を抽出することができる。また、ラジオ放送受信装置２００は、システムの起動状態に関わらず、条件設定部２２２に設定された検索条件に基づいて、ユーザの嗜好に適合する楽曲情報のみを抽出し、記憶部２３２に保存することができる。さらにラジオ放送受信装置２００は、システムＯＮの状態になると、現在受信部２０２がアンテナ１２を介して受信中の放送局１１の楽曲情報のみならず、記憶部２３２に記憶されている楽曲情報を表示することができる。また、システムＯＮの状態においては、ユーザからの保存指示に応じて、現在放送中の楽曲に関する楽曲情報を記憶部２３２に記憶することもできる。この結果、ユーザは、現在聴いている楽曲のみならず、他の放送局１１で過去に放送された自己の嗜好に適合する楽曲、および他の放送局１１で現在放送されている自己の嗜好に適合する楽曲の楽曲情報を取得することができる。これにより、ユーザは、このようにして取得した楽曲情報を外部機器に転送することにより、当該楽曲の楽曲ファイルを、インターネットを介して購入することができる。すなわち、ラジオ放送受信装置２００は、システムの起動状態に関わらず、受信可能な複数の放送局１１で放送された、または放送中の楽曲のうち、ユーザの嗜好に適合する楽曲情報のみを保存し、ユーザに当該楽曲の購入の機会を提供することが可能である。
【０１０５】
なお、図９では、説明の便宜上、システムＯＮ時において第１受信部２０２を介して行われるステップ２６６〜２７４の処理と、第２受信部２０８を介して行われるステップ２５２〜２６４の処理とを時系列に説明したが、これに限定されるものではない。すなわち、第２受信部２０８を介して行われるステップ２５２〜２６４の処理は、第１受信部２０２を介して行われるステップ２６６〜２７４の処理と独立して行われるものであり、これらの処理を平行して行うことが当然に可能である。
【０１０６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０７】
例えば、上記実施形態では、デジタル放送を提供するデジタルラジオの放送局から送信されるテキスト情報に基づいて楽曲情報を抽出する例について説明したが、本発明は係る例に限定されない。例えば、ＲＢＤＳ（Ｒａｄｉｏ  Ｂｒｏａｄｃａｓｔ  Ｄａｔａ  Ｓｙｓｔｅｍ）放送などのアナログ放送において、放送信号と同時に送信されるテキスト情報に基づいて楽曲情報を抽出することにより適用することも可能である。
【０１０８】
また、各図面で示した楽曲情報は、上記実施形態を説明する上での一例であり、これに限定されるものではない。例えば、放送局１１が送信するテキスト情報は放送局１１が任意に設定することができるものであり、アーティスト名、タイトル、ジャンルなどに限定されるものではない。すなわち、本発明に係るラジオ放送受信装置は、放送局１１が設定したテキスト情報に基づいて、種々の楽曲情報を抽出することが可能である。
【０１０９】
また、上記実施形態では、記憶部に保存されている楽曲情報をシステムＯＮの状態で表示部に表示する例について説明したが、本発明はこれに限定されるものではない。例えば、システムＯＦＦの状態においても、表示部に記憶部に保存されている楽曲情報を表示し、ユーザに対して、ユーザの嗜好に適合する楽曲が放送中であることを認識させることも可能である。
【０１１０】
また、上記実施形態では、楽曲ファイルの購入方法として、ラジオ放送受信装置に保存された楽曲情報を外部機器に転送し、当該外部機器をネットワーク接続することにより、楽曲ファイルを購入する例を中心に説明したがこれに限定されるものではない。例えば、ラジオ放送受信装置自体に楽曲ファイルの再生機能、インターネットの接続機能などを備えることにより、外部機器に楽曲情報を転送することなく、楽曲ファイルを購入することも当然に可能である。
【図面の簡単な説明】
【０１１１】
【図１】本発明の第１実施形態に係るラジオ放送受信装置１００の機能構成を示す機能ブロック図である。
【図２】第１実施形態に係るラジオ放送受信装置１００の検索条件の設定例を示す説明図である。
【図３】第１実施形態に係るラジオ放送受信装置１００の記憶部３２に保存される楽曲情報の概念を示す説明図である。
【図４】第１実施形態に係るラジオ放送受信装置１００において、表示部１０６の楽曲情報の表示例を示す説明図である。
【図５】第１実施形態に係るラジオ放送受信装置１００の楽曲情報の抽出の流れを示すフロー図である。
【図６】本発明の第２実施形態に係るラジオ放送受信装置２００の機能構成を示す機能ブロック図である。
【図７】第２実施形態に係るラジオ放送受信装置２００において、放送中の楽曲に関する楽曲情報を表示する表示部１０６の一例を示す説明図である。
【図８】第２実施形態に係るラジオ放送受信装置２００の記憶部３２に保存される楽曲情報の概念を示す説明図である。
【図９】第２実施形態に係るラジオ放送受信装置２００の楽曲情報の抽出の流れを示すフロー図である。
【図１０】Ｂｕｙ  Ｂｕｔｔｏｎ機能を利用した楽曲ファイルの購入システムを示す説明図である。
【図１１】従来の一般的なラジオ放送受信装置１０の機能構成を示す機能ブロック図である。
【図１２】ＩＤ３タグ形式のテキスト情報の概念図である。
【図１３】従来の一般的なラジオ放送受信装置１０において、放送中の楽曲に関する楽曲情報を表示する表示部２４の一例を示す説明図である。
【図１４】従来の一般的なラジオ放送受信装置１０の楽曲情報の抽出の流れを示すフロー図である。
【符号の説明】
【０１１２】
１００、２００    ラジオ放送受信装置
１０２    受信部
１０４    デジタル信号デコード部
１０６    表示部
１１６、２１２    楽曲情報管理部
１１８、２１８    第１楽曲情報抽出部
１２０、２２０    第２楽曲情報抽出部
１２２，２２２    条件設定部
１２４、２２４    周波数制御部
１２８、２２８    抽出指示受付部
１３２、２３２    記憶部
１３４、２３４    転送部
２０２    第１受信部
２０４    第１デジタル信号デコード部
２０８    第２受信部
２１０    第２デジタル信号デコード部
【図１】
2010011036.tif 000003
【図２】
2010011036.tif 000004
【図３】
2010011036.tif 000005
【図４】
2010011036.tif 000006
【図５】
2010011036.tif 000007
【図６】
2010011036.tif 000008
【図７】
2010011036.tif 000009
【図８】
2010011036.tif 000010
【図９】
2010011036.tif 000011
【図１０】
2010011036.tif 000012
【図１１】
2010011036.tif 000013
【図１２】
2010011036.tif 000014
【図１３】
2010011036.tif 000015
【図１４】
2010011036.tif 000016